(57)【要約】【課題】一般の証明カードに加えて追加の証明カードを容易かつ簡単に作成する。【解決手段】証明カード作成装置１は装置ボックス２と、装置ボックス２内に設けられカード材料５０を供給するカード材料供給部４１と、カード材料搬送部４６と、カード材料印刷部４２ａ、４２ｂ、４２ｃ、４２ｄとを備えている。装置ボックス２の外面２Ａに、カード材料５を収納する手差しボックス１０が取付けられる。手差しボックス１０には排出口１１が設けられ、手差しボックス１０内のカード材料５は排出口１１から排出されて装置ボックス２内のカード材料搬送部４６へ送られ、その後カード材料印刷部４２ａ、４２ｂ、４２ｃ、４２ｄにおいて印刷されて追加の証明カードが得られる。【選択図】図２
2014054790.tif 000002
【特許請求の範囲】
【請求項１】
証明カード作成装置において、
装置ボックスと、
装置ボックス内に設けられたカード材料印刷部と、
装置ボックス内に設けられ、カード材料を収納してカード材料印刷部へカード材料を供給するカード材料供給部とを備え、
装置ボックスの外面に、追加カード材料を収納して供給する手差しボックスが取付けられ、
手差しボックスに追加カード材料を排出する排出口が設けられ、装置ボックスに手差しボックスから排出口を経て排出される追加カード材料を装置ボックス内へ導入する導入口が設けられ、導入口から装置ボックス内へ導入された追加カード材料をカード材料印刷部で印刷して証明カードを作成することを特徴とする証明カード作成装置。
【請求項２】
装置ボックス内に、導入口とカード材料印刷部とを連結するカード材料搬送部が設けられていることを特徴とする請求項１記載の証明カード作成装置。
【請求項３】
カード材料供給部は、カード材料をカード材料搬送部に投入することを特徴とする請求項１または２記載の証明カード作成装置。
【請求項４】
手差しボックスに、手差しボックス内の追加カード材料を排出口から排出するカード排出機構を設けたことを特徴とする請求項１乃至３のいずれか記載の証明カード作成装置。
【請求項５】
カード排出機構は追加カード材料に係合して追加カード材料を排出口側へ押出す移動体と、この移動体を移動させる操作レバーとを有することを特徴とする請求項４記載の証明カード作成装置。
【請求項６】
手差しボックスに移動体を排出口と反対側へ戻すスプリング部材を設けたことを特徴とする請求項５記載の証明カード作成装置。
【請求項７】
移動体にストッパを設けるとともに、手差しボックスにストッパに係合するラックを設け、
移動体が追加カード材料を排出口から押出した後、ストッパとラックとの係合が解除されてスプリング部材により移動体が排出口から排出口と反対側へ戻されることを特徴とする請求項６記載の証明カード作成装置。
【請求項８】
装置ボックスの外面に、手差しボックスを保持するサポート部材を設けたことを特徴とする請求項１乃至７のいずれか記載の証明カード作成装置。
【請求項９】
装置ボックス外方に、手差しボックスを外方から囲んでこの手差しボックスを保護する囲い体を設けたことを特徴とする請求項１乃至８のいずれか記載の証明カード作成装置。
【請求項１０】
装置ボックスの導入口は、装置ボックス内で故障が発生した場合にカード材料を抜出す抜出口からなることを特徴とする請求項１乃至９のいずれか記載の証明カード作成装置。
【発明の詳細な説明】
【技術分野】
【０００１】
本発明は、運転免許証、クレジットカード、キャッシュカード、社員証、身分証、その他の証明カード（ＩＤカード）を作成するために用いられる証明カード作成装置に関する。
【背景技術】
【０００２】
従来より運転免許証、クレジットカード、キャッシュカード、社員証、身分証、その他の証明カードを作成するため証明カード作成装置が用いられている。
【０００３】
このような証明カード作成装置は、カード材料を収納して供給するカード材料供給部と、カード材料供給部から供給されるカード材料を搬送するカード材料搬送部と、カード材料搬送部により搬送されたカード材料に対して印刷を施すカード材料印刷部とを有し、このカード材料印刷部においてカード材料に対して印刷を施すことにより証明カードが作成される。
【０００４】
そしてこのようなカード材料供給部、カード材料搬送部、およびカード材料印刷部は、いずれも装置ボックス内に設置されている。
【０００５】
ところで、このような証明カードにより証明カードを作成する際、一般の証明カード用とは別に、例えば、運転免許証を取消申請や自主返納した場合に、運転免許証に代わるＩＤカードとしての目的のために、運転経歴証明書（以下、「経歴証カード」という。）を作成したい場合がある。
【０００６】
この場合は、装置ボックス内に設置されたカード材料供給部に、運転免許証用のカード材料とは別の経歴証カード用のカード材料を収納しておき、経歴証カード用のカード材料をカード材料印刷部において印刷を施して経歴証カードを作成することが望まれている。
【先行技術文献】
【特許文献】
【０００７】
【特許文献１】特許第４１６８１６５号
【発明の概要】
【発明が解決しようとする課題】
【０００８】
上述のように、例えば運転免許証等の一般の証明カードを作成する証明カード作成装置を用いて、これとは別に経歴証カードを作成したい場合があるが、従来はこのような場合、装置ボックス内のカード材料供給部に経歴証カード用のカード材料を装着し直す必要があり、作業工程が煩雑となっている。
【０００９】
本発明はこのような点を考慮してなされたものであり、一般の運転免許証等の証明カードを作成することに加えて追加の経歴証カード等の証明カードを容易かつ簡単に作成することができる証明カード作成装置を提供することを目的とする。
【課題を解決するための手段】
【００１０】
本発明は、証明カード作成装置において、装置ボックスと、装置ボックス内に設けられたカード材料印刷部と、装置ボックス内に設けられ、カード材料を収納してカード材料印刷部へカード材料を供給するカード材料供給部とを備え、装置ボックスの外面に、追加カード材料を収納して供給する手差しボックスが取付けられ、手差しボックスに追加カード材料を排出する排出口が設けられ、装置ボックスに手差しボックスから排出口を経て排出される追加カード材料を装置ボックス内へ導入する導入口が設けられ、導入口から装置ボックス内へ導入された追加カード材料をカード材料印刷部で印刷して証明カードを作成することを特徴とする証明カード作成装置である。
【００１１】
本発明は、装置ボックス内に、導入口とカード材料印刷部とを連結するカード材料搬送部が設けられていることを特徴とする証明カード作成装置である。
【００１２】
本発明は、カード材料供給部は、カード材料をカード材料搬送部に投入することを特徴とする証明カード作成装置である。
【００１３】
本発明は、手差しボックスに、手差しボックス内の追加カード材料を排出口から排出するカード排出機構を設けたことを特徴とする証明カード作成装置である。
【００１４】
本発明は、カード排出機構は追加カード材料に係合して追加カード材料を排出口側へ押出す移動体と、この移動体を移動させる操作レバーとを有することを特徴とする証明カード作成装置である。
【００１５】
本発明は、手差しボックスに移動体を排出口と反対側へ戻すスプリング部材を設けたことを特徴とする証明カード作成装置である。
【００１６】
本発明は、移動体にストッパを設けるとともに、手差しボックスにストッパに係合するラックを設け、移動体が追加カード材料を排出口から押出した後、ストッパとラックとの係合が解除されてスプリング部材により移動体が排出口から排出口と反対側へ戻されることを特徴とする証明カード作成装置である。
【００１７】
本発明は、装置ボックスの外面に、手差しボックスを保持するサポート部材を設けたことを特徴とする証明カード作成装置である。
【００１８】
本発明は、装置ボックス外方に、手差しボックスを外方から囲んでこの手差しボックスを保護する囲い体を設けたことを特徴とする証明カード作成装置である。
【００１９】
本発明は、装置ボックスの導入口は、装置ボックス内で故障が発生した場合にカード材料を抜出す抜出口からなることを特徴とする証明カード作成装置である。
【発明の効果】
【００２０】
以上のように本発明によれば、一般の証明カードを作成することができ、かつこれに加えて追加の証明カードを簡単な構造をもつ証明カード作成装置を用いて容易かつ簡単に作成することができる。
【図面の簡単な説明】
【００２１】
【図１】図１は手差しボックスを上方からみた図。
【図２】図２は手差しボックスの断面図。
【図３】図３（ａ）（ｂ）は手差しボックスを示す斜視図。
【図４】図４（ａ）（ｂ）は装置ボックスに手差しボックスを取付ける構造を示す図。
【図５】図５（ａ）（ｂ）は装置ボックスに手差しボックスを取付ける構造を示す図。
【図６】図６（ａ）（ｂ）は装置ボックスに手差しボックスを取付ける構造を示す図。
【図７】図７は手差しボックスを上方からみた図。
【図８】図８は手差しボックスの下方部分の側断面図。
【図９】図９は手差しボックスの拡大断面図。
【図１０】図１０は図９の部分拡大図。
【図１１】図１１は証明カード作成装置の全体を示す概略図。
【図１２】図１２（ａ）（ｂ）（ｃ）は手差しボックスのシャッタ機構を示す図。
【発明の実施の形態】
【００２２】
以下、図面を参照して本発明の実施の形態について説明する。
【００２３】
図１乃至図１１は本発明による証明カード作成装置の一実施の形態を示す図である。
【００２４】
まず図１１により、証明カード作成装置の概要について述べる。
【００２５】
図１１に示すように、証明カード作成装置１は装置ボックス２と、装置ボックス２内に設置されたカード材料印刷部４２ａ、４２ｂ、４２ｃ、４２ｄと、装置ボックス２内に設置され一般証明カード用のカード材料５０を収納して供給するカード材料供給部４１と、カード材料供給部４１から供給されたカード材料をカード材料印刷部４２ａ、４２ｂ、４２ｃ、４２ｄ側へ搬送するカード材料搬送部４６とを備えている。
【００２６】
すなわち、図１１において、一般証明カード用のカード材料５０がカード材料供給部４１に収納されており、カード材料供給部４１から１枚ずつ取り出されたカード材料に対して、各色（イエローＹ、マゼンタＭ、シアンＣ、ブラックＢ）のカード材料印刷部４２ａ、・・・、４２ｄにおいて順次色別のプリントがなされ（印刷が施され）、イエローＹ、マゼンタＭ、シアンＣのプリントを重ねることで、証明カードの顔写真等の部分のカラープリントが施され、また、最後に住所、氏名などの文字情報がブラックＢでプリントされる。
【００２７】
なお、前記イエローＹ、マゼンタＭ、シアンＣによるカラープリントを可能にするため、レッドＲ、グリーンＧ、ブルーＢの３原色信号として読み取られた顔画像データは、前記イエローＹ、マゼンタＭ、シアンＣの濃度情報に変換されている。
【００２８】
また、前記イエローＹ、マゼンタＭ、シアンＣのカード材料印刷部４２ａ、４２ｂ、４２ｃとしては、昇華インク型プリンタを用いており、また、ブラックＢのカード材料印刷部４２ｄとしては、前記昇華インク型プリンタに対して一般にプリント速度の速い溶融インク型プリンタを用いている。
【００２９】
顔写真を含む必要事項のプリントを終えたカード材料は、ホットスタンプ部４３に送られ、ここでホットスタンプが施された後、ＵＶ塗布部４４で紫外線硬化樹脂の塗布が施され、続いてＵＶ光照射部４５で紫外線を照射して樹脂を硬化させ、このようにして証明カードが得られる。
【００３０】
また本発明による証明カード作成装置１の装置ボックス２は箱状の６面体からなり、装置ボックス２のうちカード材料供給部４１近傍の外面２Ａに複数のカード材料（追加カード材料）５を収納して供給する手差しボックス１０が取付けられている。
【００３１】
この手差しボックス１０内に収納されるカード材料５は、カード材料供給部４１内のカード材料５０とは異なるカード材料が収納されており、例えばカード材料供給部４１内には一般の運転免許証等を作成するためのカード材料５０が収納され、手差しボックス１０内には運転免許証に代わるＩＤカードとしての目的のために発行される経歴証カード用のカード材料５が収納される。
【００３２】
次に手差しボックス１０について更に詳述する。
【００３３】
まず、図４（ａ）（ｂ）〜図６（ａ）（ｂ）により、装置ボックス２に対する手差しボックス１０の取付構造について述べる。
【００３４】
上述のように手差しボックス１０は、装置ボックス２のうちカード材料供給部４１近傍の外面２Ａに取付けられている。
【００３５】
例えば、図４（ａ）（ｂ）に示すように、装置ボックス２の外面２Ａに取付ベース４０が固着され、この取付ベース４０を介して装置ボックス２の外面２Ａに手差しボックス１０が取付けられている。
【００３６】
ここで図４（ａ）は手差しボックス１０を取外した状態の装置ボックス２の外面２Ａを示し、図４（ｂ）は手差しボックス１０を取付けた状態の装置ボックス２の外面２Ａを示す。
【００３７】
図４（ａ）（ｂ）に示すように、取付ベース４０には、カード材料５を装置ボックス２内へ導入する導入口３と係止口４０ａ、４０ｂが形成されている。また、取付ベース４０には、手差しボックス１０の取付けを補助する磁石４０ｃが設けられている。
【００３８】
また図４（ｂ）に示すように、手差しボックス１０に後述する操作レバー１８が取付けられている。
【００３９】
なお、取付ベース４０に設けられた係止口４０ａ、４０ｂは、後述のように手差しボックス１０を装置ボックス２の外面２Ａに固着させるものである。
【００４０】
次に図５（ａ）（ｂ）により、装置ボックス２に対する手差しボックス１０の他の取付構造について述べる。
【００４１】
図５（ａ）（ｂ）に示すように、装置ボックス２の外面２Ａに取付ベース４０が固着され、この取付ベース４０を介して手差しボックス１０が取付けられている。
【００４２】
ここで図５（ａ）は手差しボックス１０を取外した状態の装置ボックス２の外面２Ａを示し、図５（ｂ）は手差しボックス１０を取付けた状態の装置ボックス２の外面２Ａを示す。
【００４３】
図５（ａ）（ｂ）に示すように、取付ベース４０には、カード材料５を装置ボックス２内へ導入する導入口３と係止口４０ａ、４０ｂとが形成されている。また、手差しボックス１０の取付けを補助する磁石４０ｃが設けられている。
【００４４】
また図５（ｂ）において、手差しボックス１０に後述する操作レバー１８が取付けられている。
【００４５】
さらに図５（ａ）（ｂ）に示すように、取付ベース４０に手差しボックス１０を保持するサポート部材３５を取付けてもよい。
【００４６】
次に図６（ａ）（ｂ）により、装置ボックス２に対する手差しボックス１０の他の取付構造について述べる。
【００４７】
図６（ａ）（ｂ）に示すように、装置ボックス２の外面２Ａに取付ベース４０が固着され、この取付ベース４０を介して手差しボックス１０が取付けられている。
【００４８】
ここで図６（ａ）は手差しボックス１０を取外した状態の装置ボックス２の外面２Ａを示し、図６（ｂ）は手差しボックス１０を取付けた状態の装置ボックス２の外面２Ａを示す。
【００４９】
図６（ａ）（ｂ）に示すように、取付ベース４０には、カード材料５を装置ボックス２内へ導入する導入口３と、係止口４０ａ、４０ｂとが形成されている。また、取付ベース４０には、手差しボックス１０の取付けを補助する磁石４０ｃが設けられている。
【００５０】
また図６（ｂ）において、手差しボックス１０に後述する操作レバー１８が取付けられている。
【００５１】
さらに、図６（ａ）（ｂ）に示すように、取付ベース４０に、手差しボックス１０を外方から囲んでこの手差しボックス１０を保護する囲い体３６を設けてもよい。
【００５２】
なお、図５（ａ）（ｂ）に示すサポート部材３５と、図６（ａ）（ｂ）に示す囲い体３６の双方を、取付ベース４０に設けてもよい。
【００５３】
次に図１乃至図３により、手差しボックス１０について更に詳述する。
【００５４】
ここで図１は手差しボックスを示す上方からみた図であり、図２は手差しボックスの側断面図であり、図３（ａ）（ｂ）は手差しボックスを示す斜視図である。
【００５５】
図１乃至図３（ａ）（ｂ）に示すように、手差しボックス１０はカード材料５を収納するものであり、手差しボックス１０内にカード材料５の収納領域１０ａが形成されている。
【００５６】
また図３（ａ）（ｂ）に示すように、手差しボックス１０は、箱状体を有し、手差しボックス１０の一面１１ａにはカード材料５を排出して装置ボックス２の導入口３側へ送る排出口１１が形成されている。
【００５７】
ここで図３（ａ）は、手差しボックス１０を排出口１１が設けられた一面１１ａ側からみた図であって便宜的に操作レバー１８が除かれた状態を示す図であり、図３（ｂ）は、手差しボックス１０の蓋１０Ａを開いた状態を示す図である。
【００５８】
図３（ａ）（ｂ）に示すように、手差しボックス１０の一面１１ａには排出口１１が設けられ、この一面１１ａに取付ベース４０の係止口４０ａに嵌合される係止突起３３と、係止口４０ｂに嵌合される係止突起３４とが設けられている。そして手差しボックス１０を装置ボックス２の取付ベース４０に取付ける際、手差しボックス１０の係止突起３３、３４を各々取付ベース４０の係止口４０ａ、４０ｂ内に嵌合させる。このことにより、手差しボックス１０を取付ベース４０を介して装置ボックス２の一面２Ａに堅固に固定することができる。
【００５９】
また図１および図２に示すように、手差しボックス１０には、手差しボックス１０内のカード材料５を排出口１１から排出して装置ボックス２の導入口３側へ送るカード排出機構１５が設けられている。
【００６０】
このカード排出機構１５は、手差しボックス１０内に収納されたカード材料５のうち、最下層のカード材料５の後端（図１および図２において右側端）と係合する係合爪１６ａを有しカード材料５を排出口１１側へ押出す移動体１６と、この移動体１６の側方に設けられた操作レバー１８とを有している。操作レバー１８は手差しボックス１０の側方へ突出している。そしてこの操作レバー１８を図１および図２において右側から左側へスライドさせることにより移動体１６を排出口１１側へ移動させ、このことにより移動体１６の係合爪１６ａに係合する最下層のカード材料５を排出口１１から排出して、装置ボックス２の導入口３から装置ボックス２内へ送ることができる。
【００６１】
さらに、手差しボックス１０内には、移動体１６と連結された巻取バネ（スプリング部材）２４が設けられ、巻取バネ２４により移動体１６は常時、図１および図２における右側端（ホーム位置）へ戻されるようになっている。
【００６２】
また手差しボックス１０の底部には、移動体１６の移動方向（図１および図２の左右方向）に延びるラック２１が設けられ、移動体１６にはラック２１に係合するストッパ２２が取付けられている。そして移動体１６が右側端（ホーム位置）から左側端（排出位置）へ移動する途中は、常時ストッパ２２がラック２１に係合して移動体１６を係止させる。そして移動体１６が完全に左側端へ達して、手差しボックス１０内に収納された最下層のカード材料５をすべて排出口１１から排出した場合、ラック２１とストッパ２２との係合が解除され、このことにより、左側端（排出位置）にある移動体１６は巻取バネ２４により右側端（ホーム位置）へ戻される。
【００６３】
次に図７乃至図１０により、手差しボックス１０について更に詳述する。
【００６４】
ここで図７は手差しボックスを上方からみた図であり、図８は手差しボックスの下方部分の側断面図、図９は手差しボックスの拡大側断面図、図１０は図９の部分拡大図である。
【００６５】
図７乃至図１０に示すように、手差しボックス１０内の排出口１１上には、ゲート１２が設けられ、このゲート１２により排出口１１の上端が規制される。すなわち、手差しボックス１０の底面１０Ｂには、カード材料５が載置されており、底面１０Ｂ上の最下層のカード材料５は、移動体１６の係合爪１６ａにより排出口１１側へ押し出される。
【００６６】
この場合、図９および図１０に示すように、手差しボックス１０内には排出口１１の上端を規定するゲート１２が設けられているため、移動体１６により手差しボックス１０内の最下層のカード材料５のみを排出口１１から排出することができる。
【００６７】
なお、ゲート１２の上下方向位置は、図示しない取付ビスを緩めることにより容易に調整可能となっている。そしてカード材料５の厚みに応じてゲート１２の上下方向位置を調整することにより、手差しボックス１０内のカード材料５を一枚ずつ移動体１６により排出口１１から排出することができる。
【００６８】
他方、装置ボックス２内には、導入口３近傍にガイド４が設けられている。すなわち、図１０に示すように、装置ボックス２内には導入口３の上端を規定する上方ガイド４ａが設けられ、装置ボックス２内には導入口３の下端を規定する下方ガイド４ｂが設けられ、これら上方ガイド４ａと下方ガイド４ｂとによって装置ボックス２の導入口３が形成されている。
【００６９】
さらにまた、手差しボックス１０の下方部には移動体１６をホーム位置から排出位置までスムースに案内するためのリニアガイド１７が設けられている。
【００７０】
次にこのような構成からなる本実施の形態について説明する。
【００７１】
まず一般の運転免許証等の一般証明カードを作成する場合は、装置ボックス２から手差しボックス１０が取外されている。
【００７２】
この場合、カード材料供給部４１に収納された一般証明カード用のカード材料５０が、このカード材料供給部４１からカード材料搬送部４６側へ供給される。そしてカード材料搬送部４６側へ供給されたカード材料５０は、その後カード材料印刷部４２ａ、４２ｂ、４２ｃ、４２ｄへ送られ、カード材料印刷部４２ａ、４２ｂ、４２ｃにおいてカード材料５０に対してイエローＹ、マゼンタＭ、シアンＣのカラー印刷が施される。次にカード材料５０に対してブラックＢの印刷が施される。
【００７３】
次にカード材料５０はホットスタンプ部４３に送られてホットスタンプが施され、ＵＶ塗布部４４で紫外線硬化樹脂が塗布され、続いてＵＶ光照射部４５で紫外線が照射されて樹脂を硬化させる。このようにして一般証明カードが得られる。
【００７４】
この間、装置ボックス２内の機器、例えば、カード材料印刷部４２ａ、４２ｂ、４２ｃ、４２ｄに不具合やカード詰まりが生じた場合は、該当するカード材料印刷部４２ａ、４２ｂ、４２ｃ、４２ｄのユニットを開いて、処理中のカード材料５０を取り除き、また、カード材料供給部４１又はカード材料搬送部４６で不具合やカード詰まりが生じた場合は、カード材料搬送部４６からカード材料供給部４１側へ戻されて、装置ボックス２の導入口３を利用して外方へ抜き出され、不良品カードとして廃棄される。
【００７５】
このように、装置ボックス２の導入口３は、後述する手差しボックス１０からのカード材料５を導入する導入口としても機能し、かつ装置ボックス２内の不良品カードを抜き出す抜出口としても機能する。
【００７６】
次に一般証明カードではなく、例えば運転免許証に代わるＩＤカードとしての目的のために発行される経歴証カードを作成する場合がある。この場合は、装置ボックス２の一面２Ａに手差しボックス１０が取付けられる。
【００７７】
このとき、手差しボックス１０内には経歴証カード作成用の例えば５０枚のカード材料（追加カード材料）５が収納され、カード材料５上にはおもり６が載置される。手差しボックス１０は、装置ボックス２の一面２Ａに取付ベース４０を介して取付けられ、手差しボックス１０の係止突起３３、３４が取付ベース４０の係止口４０ａ、４０ｂ内に嵌合され、このようにして手差しボックス１０を装置ボックス２の一面２Ａに堅固に固定することができる。
【００７８】
手差しボックス１０内のカード材料５を装置ボックス２内へ送る場合、まず移動体１６は右側端のホーム位置にある（図９および図１０）。次に操作レバー１８を右側端から左側端までスライドさせる。このことにより移動体１６が右側端のホーム位置から左側端の排出位置まで移動する。このとき移動体１６の係合爪１６ａが手差しボックス１０内の最下層にあるカード材料５の右側端に係合し、カード材料５を手差しボックス１０の排出口１１から排出する。次に排出口１１から排出されたカード材料５は導入口３から装置ボックス１０内のカード材料搬送部４６側へ移載される。
【００７９】
そしてカード材料搬送部４６側へ移載されたカード材料５は、その後カード材料印刷部４２ａ、４２ｂ、４２ｃ、４２ｄへ送られ、カード材料印刷部４２ａ、４２ｂ、４２ｃにおいてカード材料５に対してイエローＹ、マゼンタＭ、シアンＣのカラー印刷が施される。次にカード材料５に対してブラックＢの印刷が施される。
【００８０】
次にカード材料５はホットスタンプ部４３に送られてホットスタンプが施され、ＵＶ塗布部４４で紫外線硬化樹脂が塗布され、続いてＵＶ光照射部４５で紫外線が照射されて樹脂を硬化させる。このようにして経歴証カードが得られる。
【００８１】
以上のように本実施の形態によれば、一般の証明カードを作成することができるとともに、これに加えて経歴証カード等の追加の証明カードを作成することができる。この場合、装置ボックス２内のカード材料供給部４１に収納されたカード材料５０と、追加の証明カード用のカード材料５を入れ換える必要はない。追加の証明カード用のカード材料５が収納された手差しボックス１０を証明カード作成装置１の装置ボックス２に取付け、手差しボックス１０内のカード材料５を装置ボックス２内へ送るだけで、追加の証明カードを容易かつ簡単に作成することができる。
【００８２】
ところで、手差しボックス１０を取付ベース４０に取付ける前に手差しボックス１０内のカード材料５が排出口１１から容易に飛び出さないように、手差しボックス１０内の出口側にシャッタ機構４７を設けてもよい（図１２（ａ）（ｂ）（ｃ）参照）。
【００８３】
ここで図１２（ａ）はシャッタ機構４７を有する手差しボックス１０を示す内部構造図であり、図１２（ｂ）は手差しボックス１０を取付ベース４０に取付けた状態を示す図であり、図１２（ｃ）は取付ベース４０を示す正面図である。
【００８４】
図１２（ａ）（ｂ）（ｃ）に示す実施の形態において、図１乃至図１１に示す実施の形態と同一部分には同一符号を付して詳細な説明は省略する。
【００８５】
図１２（ａ）において、手差しボックス１０内の出口側には、底面１０Ｂとゲート１２とが設けられ、この底面１０Ｂとゲート１２とによってカード材料５を排出する排出口１１が形成されている。
【００８６】
また手差しボックス１０を取付ベース４０に取付ける前に手差しボックス１０内のカード材料５が排出口１１から飛び出さないよう、手差しボックス１０内の出口側にシャッタ機構４７が設けられている。
【００８７】
このシャッタ機構４７は手差しボックス１０内の出口側に上下方向に移動自在に設けられ、シャッタ機構４７は手差しボックス１０内の下方に設けられたシャッタバネ４８により常時下方へ付勢されている。そして手差しボックス１０を取付べース４０に取付ける前の状態では、シャッタ機構４７により手差しボックス１０の排出口１１が閉となる。
【００８８】
またシャッタ機構４７には手差しボックス１０の外方へ突出する係合突起４９ａ、４９ｂが上下２段に設けられている。さらにまた、取付ベース４０には係止口４０ａ、４０ｂの他にシャッタ機構４２の係合突起４９ａ、４９ｂが嵌合するシャッタ機構嵌合口４９が設けられている（図１２（ｂ）（ｃ））。
【００８９】
図１２（ａ）（ｂ）（ｃ）において、手差しボックス１０を取付べース４０に取付ける前の状態では、手差しボックス１０内の出口側に設けられたシャッタ機構４７により排出口１１が閉鎖される。このため手差しボックス１０内のカード材料５が排出口１１から飛び出すことはない。
【００９０】
次に手差しボックス１０を取付ベース４０に取付ける際、シャッタ機構４７の上段の係合突起４９ａと下段の係合突起４９ｂが各々取付ベース４０のシャッタ機構嵌合口４９の上端および下端に係合する。
【００９１】
次に手差しボックス１０は取付ベース４０表面を下方へ摺動して、取付ベース４０に堅固に固定される。このときシャッタ機構４７の係合突起４９ａ、４９ｂが手差しボックス１０に対してわずかに（４ｍｍ程度）上昇し、シャッタ機構４７かシャッタバネ４８の力に対して同様に４ｍｍ程度上昇する。この場合、シャッタ機構４７が、手差しボックス１０の排出口１１を開くことができる。
【００９２】
このように、図１２（ａ）（ｂ）（ｃ）に示す実施の形態において、手差しボックス１０を取付ベース４０に取付ける前の状態では、シャッタ機構４７により手差しボックス１０の排出口１１を閉とすることができ、このため手差しボックス１０内のカード材料５が外方へ飛び出すことはない。
【００９３】
一方、手差しボックス１０を取付ベース４０に取付けた後は、シャッタ機構４７を上方へ移動させることにより手差しボックス１０の排出口１１を開とすることができる。
【符号の説明】
【００９４】
１  証明カード作成装置
２  装置ボックス
２Ａ  一面
３  導入口
５  カード材料
１０  手差しボックス
１１  排出口
１２  ゲート
１５  カード排出機構
１６  移動体
１６ａ  係合爪
１７  リニアガイド
１８  操作レバー
２１  ラック
２２  ストッパ
２４  巻取バネ
３５  サポート部材
３６  囲い体
４０  取付ベース
【図１】
2014054790.tif 000003
【図２】
2014054790.tif 000004
【図３】
2014054790.tif 000005
【図４】
2014054790.tif 000006
【図５】
2014054790.tif 000007
【図６】
2014054790.tif 000008
【図７】
2014054790.tif 000009
【図８】
2014054790.tif 000010
【図９】
2014054790.tif 000011
【図１０】
2014054790.tif 000012
【図１１】
2014054790.tif 000013
【図１２】
2014054790.tif 000014